(57)【要約】【課題】  収納庫の外部に影響を与えず収納庫の内部のみで開口部側収納棚と奥側収納棚を短く移動させて、被収納物を容易に出し入れできる簡素な構成の収納庫を提供する。【解決手段】  収納庫１は、開口部１０に対応してキャビネット７の内部に設けられ、複数段の開口部側収納棚２２を有する開口部側収納部２０と、開口部側収納部に併設されてキャビネット内の奥側に設けられ、複数段の奥側収納棚２３を有する奥側収納部２１とを備えている。選択された任意の奥側収納棚が移動してくるための奥側収納棚一つ分の移動先スペースＳＰを形成するのに、各開口部側収納棚は一段ストロークＳ分それぞれ垂直移動可能であり、任意の奥側収納棚は、奥側収納部と移動先スペースとの間を水平移動可能である。【選択図】    図４
2006296605.tif 000002
【特許請求の範囲】
【請求項１】
収納庫と厨房家具が平面視で直角に設置されるとともに前記収納庫のキャビネットの前面の一部が前記厨房家具で塞がれており、
前記キャビネット前面には前記厨房家具とは離れた位置に開口部が形成された収納庫であって、
前記開口部に対応して前記キャビネットの内部に設けられ、複数段の開口部側収納棚を有する開口部側収納部と、
この開口部側収納部に併設されて前記キャビネット内の奥側に設けられ、複数段の奥側収納棚を有する奥側収納部とを備え、
選択された任意の前記奥側収納棚が移動してくるための少なくとも奥側収納棚一つ分の移動先スペースを形成するために、前記各開口部側収納棚は少なくとも一段ストローク分それぞれ垂直移動可能であり、
前記任意の奥側収納棚は、前記奥側収納部と前記移動先スペースとの間を水平移動可能であることを特徴とする収納庫。
【請求項２】
請求項１に記載の収納庫であって、
前記開口部側収納棚を少なくとも二段、前記奥側収納棚をこの開口部側収納棚より一段多い段数それぞれ設け、
少なくとも一つのこの開口部側収納棚を一段ストローク分垂直移動させて前記移動先スペースを形成することにより、選択された前記任意の奥側収納棚を、前記奥側収納部と前記移動先スペースとの間で水平移動させるようにしたことを特徴とする収納庫。
【請求項３】
請求項１に記載の収納庫であって、
前記開口部側収納棚を少なくとも二段、前記奥側収納棚をこの開口部側収納棚より二倍多い段数それぞれ設け、
前記各開口部側収納棚を、互いに干渉することなくそれぞれ独立してこの各開口部側収納棚に対応する上部移動位置Ｐ1と下部移動位置Ｐ2との間で一段ストローク分だけ垂直移動させて、それぞれ前記移動先スペースを形成することにより、
一つまたは複数の前記任意の奥側収納棚を、前記奥側収納部と前記移動先スペースとの間で水平移動させるようにしたことを特徴とする収納庫。
【請求項４】
請求項１，２または３に記載の収納庫であって、前記厨房家具はシステムキッチンであることを特徴とする収納庫。
【発明の詳細な説明】
【技術分野】
【０００１】
本発明は、システムキッチンなど厨房家具に対して平面視で直角に設置される収納庫に関する。
【背景技術】
【０００２】
システムキッチンなど厨房家具のすぐ横に、各種物品を収納するための収納庫が設けられる場合があり、たとえば、本出願人は、本発明の関連技術として、特許文献１（特開２００３−１６４３４１号公報）に対面式厨房家具の収納庫を提案している。
また、本出願人は、他の関連技術として特許文献２（特開２００４−２９８４２４号公報）に昇降棚付き収納庫を提案している。
【０００３】
【特許文献１】特開２００３−１６４３４１号公報
【特許文献２】特開２００４−２９８４２４号公報
【発明の開示】
【発明が解決しようとする課題】
【０００４】
特許文献１に記載の収納庫では、その棚板は固定されて動かないようになっている。そのため、収納庫をシステムキッチンなど厨房家具に対して平面視で直角に設置して、収納庫のキャビネットの前面の一部が厨房家具で塞がれた場合には、収納庫に対して被収納物を出し入れするのが困難になる恐れがあった。
【０００５】
一方、特許文献２に記載の昇降棚付き収納庫は、電動昇降棚が昇降可能に取付けられて収納引出し可能になっている。この収納庫は、システムキッチンなどの上方に配置して電動昇降棚を昇降させるので、この電動昇降棚に対して被収納物を出し入れするのに都合がよい。
しかし、電動昇降棚はケースから下方に引き出される構成なので、この構成を、厨房家具に対して平面視で直角に設置される収納庫にそのまま適用することはできない。
【０００６】
本発明は、このような課題を解決するためになされたもので、収納庫の外部に影響を与えることなく収納庫の内部のみで開口部側収納棚と奥側収納棚を短く移動させて、開口部側収納棚と奥側収納棚に対して被収納物を容易に出し入れすることができる簡素な構成の収納庫を提供することを目的とする。
【課題を解決するための手段】
【０００７】
上述の目的を達成するため、本発明にかかる収納庫は、収納庫と厨房家具が平面視で直角に設置されるとともに前記収納庫のキャビネットの前面の一部が前記厨房家具で塞がれており、前記キャビネット前面には前記厨房家具とは離れた位置に開口部が形成された収納庫であって、前記開口部に対応して前記キャビネットの内部に設けられ、複数段の開口部側収納棚を有する開口部側収納部と、この開口部側収納部に併設されて前記キャビネット内の奥側に設けられ、複数段の奥側収納棚を有する奥側収納部とを備え、選択された任意の前記奥側収納棚が移動してくるための少なくとも奥側収納棚一つ分の移動先スペースを形成するために、前記各開口部側収納棚は少なくとも一段ストローク分それぞれ垂直移動可能であり、前記任意の奥側収納棚は、前記奥側収納部と前記移動先スペースとの間を水平移動可能である。
一つの好ましい実施態様にかかる収納庫では、前記開口部側収納棚を少なくとも二段、前記奥側収納棚をこの開口部側収納棚より一段多い段数それぞれ設け、少なくとも一つのこの開口部側収納棚を一段ストローク分垂直移動させて前記移動先スペースを形成することにより、選択された前記任意の奥側収納棚を、前記奥側収納部と前記移動先スペースとの間で水平移動させるようにしている。
他の好ましい実施形態にかかる収納庫は、前記開口部側収納棚を少なくとも二段、前記奥側収納棚をこの開口部側収納棚より二倍多い段数それぞれ設け、前記各開口部側収納棚を、互いに干渉することなくそれぞれ独立してこの各開口部側収納棚に対応する上部移動位置Ｐ1と下部移動位置Ｐ2との間で一段ストローク分だけ垂直移動させて、それぞれ前記移動先スペースを形成することにより、一つまたは複数の前記任意の奥側収納棚を、前記奥側収納部と前記移動先スペースとの間で水平移動させるようにしている。
前記収納庫に対して平面視で直角に設置される前記厨房家具は、たとえば、システムキッチンである。
【発明の効果】
【０００８】
本発明の収納庫は、上述のように構成したので、収納庫の外部に影響を与えることなく収納庫の内部のみで開口部側収納棚と奥側収納棚を短く移動させて、開口部側収納棚と奥側収納棚に対して被収納物を容易に出し入れすることができ、且つ簡素な構成にすることができる。
【発明を実施するための最良の形態】
【０００９】
下記の実施例にかかる収納庫では、開口部側収納部を、収納庫のキャビネットの前面に形成された開口部に対応してキャビネットの内部に設けるとともに、複数段の開口部側収納棚を開口部側収納部に設けている。奥側収納部を、この開口部側収納部に併設するとともにキャビネット内の奥側に設け、奥側収納部には複数段の奥側収納棚を設けている。
そして、選択された任意の奥側収納棚が移動してくるための少なくとも奥側収納棚一つ分の移動先スペースを形成するために、各開口部側収納棚は、少なくとも一段ストローク分それぞれ垂直方向（上下方向）に移動可能であり、任意の奥側収納棚は、奥側収納部と移動先スペースとの間を水平方向（左右方向）に移動可能である。
これにより、収納庫の外部に影響を与えることなく、収納庫の内部のみで開口部側収納棚と奥側収納棚はそれぞれ短く移動して、この移動動作が収納庫内で完結する。そして、開口部側収納棚と奥側収納棚に対して被収納物を容易に出し入れすることができ、且つ収納庫を簡素な構成にすることができる。
【実施例】
【００１０】
以下、本発明にかかる一実施例を、図１ないし図１０を参照して説明する。
図１ないし図１０は本発明の一実施例を示す図で、図１は、収納庫が設置された台所の平面図、図２，図３は、台所の斜視図で、収納庫の扉を閉めた状態と開けた状態をそれぞれ示している。
図４，図５は収納庫の動作を示す正面図、図６は、本実施例の変形例にかかる収納庫の動作を示す正面図で図４相当図である。
なお、説明の便宜上、図１の矢印Ｄ1，Ｄ2，Ｄ3，Ｄ4を、それぞれ収納庫１の前方，後方，右方，左方として説明する。
【００１１】
図１ないし図３に示すように、台所には、本発明の収納庫（パントリー）１と厨房家具としてのシステムキッチン２が、平面視で直角（たとえば、倒Ｌ字状，Ｌ字状）に設置され、収納庫１はシステムキッチン２のすぐ横に配置されている。
システムキッチン２は台所に設置されるキッチンの一種であるが、厨房家具としては、システムキッチンの他に、キッチン，収納庫，流し台，洗面台などであってもよい。また、システムキッチン自体の平面視形状は、Ｉ字状の場合を示したがＬ字状であってもよい。
システムキッチン２は、床面３上に設置されたキッチンキャビネット４を有している。キッチンキャビネット４には、複数の引き出し，コンロ，シンクなどが設けられており、台所の壁面５に寄せて設置されている。
【００１２】
壁面５と他の壁面６は直角に形成され、収納庫１のキャビネット７は壁面６に寄せて床面３上に設置されている。収納庫１は、システムキッチン２に対して平面視で直角に配置されているコーナーパントリーであり、キャビネット７の前面８の一部がシステムキッチン２で塞がれている。
すなわち、キャビネット前面８のうち右側下方部が、キッチンキャビネット４と接触状態または非接触状態で対向している。なお、収納庫１とキッチン２との間にパネル９が介装されている場合を示しているが、パネル９がない場合であってもよい。
【００１３】
キャビネット７の前面８には開口部１０が形成されており、この開口部１０は、システムキッチン２とは離れた位置（ここでは、左側の位置）に設けられている。キャビネット７に設けられた扉１１で開口部１０が開閉する。扉１１を右側に移動させれば、前面８のほぼ左半分が開口部１０として大きく開口する。なお、開口部１０は開放したままで、扉１１を設けない場合であってもよい。
収納庫１のすぐ左側には、別の厨房家具（たとえば、別の収納庫１３）が平面視で直角に設置されて前方に延びているが、扉１１は引き戸なので、収納庫１３が扉１１の開閉操作の邪魔になることはない。なお、別の収納庫１３が設置されていない場合であってもよい。
【００１４】
図１ないし図５に示すように、収納庫１は、開口部側収納部２０と奥側収納部２１を備えている。
開口部側収納部２０は、開口部１０に対応してキャビネット７の内部に設けられ、複数段（ここでは、上下に三段）の開口部側収納棚２２を有している。奥側収納部２１は、開口部側収納部２０に併設されてキャビネット７内の奥側に設けられ、複数段（ここでは、上下に四段）の奥側収納棚２３を有している。
開口部側収納棚２２と奥側収納棚２３には、それぞれ各種被収納物１２を収納することができる。開口部側収納部２０は開口部１０を介して大きく開くので、収納庫１に各種被収納物１２を容易に出し入れできる。
【００１５】
開口部側収納部２０と奥側収納部２１の下部と上部には、下部収納部２４と上部収納部２５がそれぞれ形成されている。下部収納部２４と上部収納部２５は、開口部側収納部２０および奥側収納部２１に対して、仕切られた状態で配置されている。
なお、下部収納部２４と上部収納部２５を省略して、収納庫１の内部全体を開口部側収納部２０と奥側収納部２１とにより構成した場合であってもよい。
【００１６】
ユーザーＭにより選択された任意の奥側収納棚２３が移動してくるための少なくとも奥側収納棚一つ分（本実施例では、一つ分）の移動先スペースＳＰを形成するために、各開口部側収納棚２２は、少なくとも一段ストロークＳ分（本実施例では、一段ストロークＳ分）、矢印Ｂ1に示すように垂直移動（垂直方向（上下方向）に移動）可能である。
選択された少なくとも一つ（本実施例では、一つ）の任意の奥側収納棚２３は、奥側収納部２１と移動先スペースＳＰとの間を、矢印Ｂ2に示すように左右方向に水平移動可能である。
開口部側収納棚２２は、奥側収納棚２３が移動してきたときに開口部側収納棚２２やこれに収納されている被収納物１２などと干渉しないだけの十分な移動先スペースＳＰを形成するように、垂直移動機構３０により位置決め保持されるようになっている。
【００１７】
収納庫１では、開口部側収納棚２２と奥側収納棚２３を収納庫１の内部のみで短く移動させて、開口部側収納部２０で開口部側収納棚２２と奥側収納棚２３に対して被収納物１２を容易に出し入れすることができる。
また、開口部側収納棚２２と奥側収納棚２３はそれぞれ直線移動のみを行うので、各移動機構（垂直移動機構３０と水平移動機構４０）は簡素な構成になっている。
開口部側収納棚２２と奥側収納棚２３は、キャビネット７内でそれぞれ垂直移動と水平移動が可能であり、収納庫１の外部に飛び出るような動作は行わないので、収納棚２２，２３の移動動作のためのスペースを収納庫１の外部に確保する必要はない。
開口部側収納棚２２と奥側収納棚２３の移動動作は、収納庫１の外部とは遮断されて収納庫１の内部のみで完結しているので、収納庫１の外部に影響を与えたり収納庫外部から影響を受けたりする恐れはない。
したがって、収納庫１に隣接して別の収納庫１３などが設置されていても、この別の収納庫１３に対して、開口部側収納棚２２と奥側収納棚２３の移動動作が影響を与えることはない。
【００１８】
開口部側収納棚２２は少なくとも二段（ここでは、三段）設けられ、奥側収納棚２３は、この開口部側収納棚２２より一段多い段数（ここでは、四段）設けられ、少なくとも一つの開口部側収納棚２２を一段ストロークＳ分垂直移動させて移動先スペースＳＰを形成することにより、選択された任意の奥側収納棚２３を、奥側収納部２１と移動先スペースＳＰとの間で左右方向に水平移動させるようにしている。
この場合には、開口部側収納部２０において、奥側収納棚一つ分の移動先スペースＳＰを形成すればよいので、開口部側収納部２０における被収納物１２の収納能力を大きくすることができる。
【００１９】
開口部側収納棚２２に対して被収納物１２を出し入れする場合には、ユーザーＭは、開口部１０のすぐ前に立って、開口部側収納棚２２に対して被収納物１２を容易に出し入れすることができる。
このとき、三つの開口部側収納棚２２のうち任意の開口部側収納棚２２を、一段ストロークＳの範囲で、所望の高さ位置に矢印Ｂ1に示すように垂直移動させることができる。
【００２０】
奥側収納棚２３に対して被収納物１２を出し入れする場合には、四段の奥側収納棚２３のうち選択された所望の段の奥側収納棚２３と同じ高さ位置の左側に移動先スペースＳＰが形成されるように、一つまたは複数の所定の開口部側収納棚２２を垂直移動させる。これにより、開口部側収納部２０における所望の高さ位置に移動先スペースＳＰが形成される。
次いで、所望の奥側収納棚２３を、矢印Ｂ2に示すように奥側収納部２１から開口部側収納部２０の移動先スペースＳＰに水平移動させる。その結果、ユーザーＭは、開口部１０のすぐ前に立って、移動先スペースＳＰに位置する奥側収納棚２３に対して被収納物１２を容易に出し入れすることができる。
選択された任意の奥側収納棚２３を開口部１０のところまで移動させることができるので、システムキッチン２で塞がれた収納庫１の右半分も、デッドスペースにならずに収納機能を発揮する。
【００２１】
図４は、所望の奥側収納棚２３を、矢印Ｂ2に示すように左右方向に水平移動させるために、一つの開口部側収納棚２２を、矢印Ｂ1に示すように垂直移動させて一つの移動先スペースＳＰを形成する場合を示している。
図５は、別の所望の奥側収納棚２３を、矢印Ｂ2に示すように左右方向に水平移動させるために、二つの開口部側収納棚１２を、矢印Ｂ1に示すように垂直移動させて一つの移動先スペースＳＰを形成する場合を示している。
【００２２】
奥側収納棚２３を水平移動させる直前における移動先スペースＳＰが、開口部側収納部２０のどの位置にあるかという点と、奥側収納部２１に収納されている奥側収納棚２３のうちどの奥側収納棚２３を開口部側収納部２０に引き出すかという点とを考慮して、三つの開口部側収納棚２２のうち一つまたは二つまたは三つの開口部側収納棚２２を垂直移動させて移動先スペースＳＰを形成することになる。なお、選択された奥側収納棚２３の左側が既に移動先スペースＳＰになっている場合には、開口部側収納棚２２を垂直移動させる必要はない。
このようにして、開口部側収納部２０に移動先スペースＳＰを確保した状態で、所望の一つの奥側収納棚２３を、奥側収納部２１から移動先スペースＳＰに矢印Ｂ2に示すように水平移動させる。そして、ユーザーＭは、開口部１０のすぐ前に立って奥側収納棚２３に対して被収納物１２を容易に出し入れすることができる。
【００２３】
図６は、本実施例の変形例にかかる収納庫１ａを示す図４相当図で、二つの奥側収納棚２３を、奥側収納部２１から移動先スペースＳＰにそれぞれ水平移動させる場合を示している。
収納庫１ａとシステムキッチン２は平面視で直角に設置されるとともに、収納庫１ａのキャビネット７の前面８の一部がシステムキッチン２で塞がれている。キャビネット７の前面８には、システムキッチン２とは離れた位置に開口部１０が形成されている。
収納庫１ａは、開口部１０に対応してキャビネット７の内部に設けられ、複数段（ここでは、二段）の開口部側収納棚２２を有する開口部側収納部２０ａと、この開口部側収納部２０ａに併設されてキャビネット７内の奥側に設けられ、複数段（ここでは、四段）の奥側収納棚２３を有する奥側収納部２１とを備えている。
【００２４】
そして、選択された任意の奥側収納棚２３が移動してくるための少なくとも奥側収納棚一つ分（ここでは、二つ分）の移動先スペースＳＰを形成するために、各開口部側収納棚２２は、少なくとも一段ストロークＳ分（ここでは、一段ストロークＳ分）、それぞれ矢印Ｂ1に示すように垂直移動可能である。
また、選択された一つまたは複数（ここでは、二つ）の任意の奥側収納棚２３は、矢印Ｂ2に示すように、それぞれ奥側収納部２１と移動先スペースＳＰとの間を左右方向に水平移動可能である。したがって、収納庫１ａも、前記収納庫１と同じ作用効果を奏する。
【００２５】
収納庫１ａでは、開口部側収納棚２２が少なくとも二段（ここでは、二段）設けられ、奥側収納棚２３が、この開口部側収納棚２２より二倍多い段数（ここでは、四段）設けられている。
そして、各開口部側収納棚２２を、互いに干渉することなくそれぞれ独立してこの各開口部側収納棚２２に対応する上部移動位置Ｐ1と下部移動位置Ｐ2との間で一段ストロークＳ分だけ垂直移動させて、それぞれ移動先スペースＳＰを形成する。これにより、一つまたは複数（ここでは、二つ）の任意の奥側収納棚２３を、奥側収納部２１と移動先スペースＳＰとの間で左右方向に水平移動させるようにしている。
【００２６】
収納庫１ａでは、奥側収納部２１における一段目（最下段）と二段目の奥側収納棚２３に対して、開口部側収納部２０ａの下段の開口部側収納棚２２と一つの移動先スペースＳＰが対応している。
また、奥側収納部２１における三段目と四段目（最上段）の奥側収納棚２３に対して、開口部側収納部２０ａの上段の開口部側収納棚２２と他の一つの移動先スペースＳＰが対応している。
【００２７】
したがって、各奥側収納棚２３を水平移動させる場合、一つの任意の開口部側収納棚２２が、この任意の奥側収納棚２３用の移動先スペースＳＰのところに位置しているときは、この一つの開口部側収納棚２２を、その上部移動位置Ｐ1と下部移動位置Ｐ2との間で一段ストロークＳ分だけ垂直移動させて、移動先スペースＳＰを形成すればよい。
この一つの開口部側収納棚２２が移動先スペースＳＰのところに位置していないときには、そのまま奥側収納棚２３を水平移動できるので、開口部側収納棚２２を垂直移動させる必要はない。
この収納庫１ａによれば、奥側収納棚２３を水平移動させる際に垂直移動させなければならない開口部側収納棚２２の数を最小限にすることができるので、ユーザーＭにとっての負担が軽くなる。
【００２８】
図７は、開口部側収納部２０，２０ａにおける垂直移動機構３０を示す斜視図、図８は、図７に示す開口部側収納部２０，２０ａの動作を示す部分正面図である。
図７，図８に示すように、開口部側収納棚２２は、垂直移動機構３０に片持ち状態で支持されながら、矢印Ｂ1に示すように垂直方向に移動可能で、且つ任意の位置に停止することができるようになっている。上下で隣り合う開口部側収納棚２２同士は、所定の間隔以上を保って互いに衝突しないようになっている。
【００２９】
開口部側収納棚２２には、一対のスライド部材３１が取付けられている。垂直移動機構３０は、縦方向に延びた長い形状を有してキャビネット７の左側板３２の内面に取付けられている。
垂直移動機構３０には、縦方向に延びた一対の縦溝３３が形成されており、縦溝３３にスライド部材３１が垂直方向に移動可能に係合している。スライド部材３１にはベルト機構３４の一端部が接続され、ベルト機構３４の他端部はダンパ３５に接続されている。
このようにして、開口部側収納棚２２は、ベルト機構３４を介してダンパ３５により常に上方に付勢されるとともに、任意の高さ位置に位置決め保持される。図８（Ａ），（Ｂ）は、開口部側収納棚２２が上方に移動する場合と下方に移動する場合をそれぞれ示している。
なお、図７，図８は、開口部側収納棚２２を一つのみ図示したが、他の開口部側収納棚２２も、同様に垂直移動機構３０で垂直移動可能になっている。
【００３０】
図９は、収納庫１，１ａにおける奥側収納棚２３の水平移動機構４０を示す斜視図、図１０は図９の側面断面図である。
図９，図１０に示すように、奥側収納棚２３は、水平移動機構４０により左右方向に水平移動可能に片持ち支持されている。水平移動機構４０は、四つの奥側収納棚２３毎にそれぞれ設けられて、互いに平行に且つ水平に配置されている。
水平移動機構４０は一対の受けレール４１を有しており、この受けレール４１は、キャビネット７の背板４２に複数のねじ４３など締結部材により締結固定されており、左右方向に延びて水平に且つ平行に配置されている。
奥側収納棚２３には、受けレール４１に転動自在に係合する複数のローラ４４が取付けられている。ローラ４４は、奥側収納棚２３の背面側の板材４５に取付けられている。受けレール４１とローラ４４により、水平移動機構４０が構成されている。
奥側収納棚２３は、水平移動機構４０で左右方向に水平移動することにより、奥側収納部２１と開口部側収納部２０（または、２０ａ）の移動先スペースＳＰとの間を移動することができる。
【００３１】
次に、収納庫１の動作について説明する。
図１，図２に示すように、収納庫１を使用しないときは扉１１で開口部１０を閉めておく。この状態では、開口部側収納棚２０は、キャビネット７内の開口部側収納部２０に位置し、奥側収納棚２３は、キャビネット７内の奥側収納部２１に位置している。なお、四段の奥側収納棚２３のうちの一つの奥側収納棚２３が、移動先スペースＳＰに移動して開口部側収納部２０に位置している場合であってもよい。
【００３２】
図３，図４に示すように、収納庫１を使用するときは、扉１１を右方に移動させて開口部１０の全体を開ける。ユーザーＭは、開口部１０の前方に立ち、開口部側収納部２０に位置している開口部側収納棚２２に対して、被収納物１２を出し入れすることができる。このとき、各開口部側収納棚２２を、垂直移動機構３０により一段ストロークＳ分垂直移動させて任意の高さ位置に位置させると、出し入れの作業がより容易になる。
所望の奥側収納棚２３に対して被収納物１２を出し入れする場合、選択されたこの奥側収納棚２３が開口部側収納部２０に既に引き出されていれば、そのまま被収納物１２を奥側収納棚２３に対して出し入れすることができる。
【００３３】
ところが、図４，図５に示すように、選択された所望の奥側収納棚２３が奥側収納部２１に位置している場合には、まず、一つの開口部側収納棚２２を、垂直移動機構３０で矢印Ｂ1に示すように垂直方向に移動させ、所望の奥側収納棚２３のすぐ左側に移動先スペースＳＰを形成する（図４（Ａ），（Ｂ））。
また、選択された所望の奥側収納棚２３が配置されている位置によっては、二つまたは三つの開口部側収納棚２２を、それぞれ垂直移動機構３０で一段ストロークＳ分だけ矢印Ｂ1に示すように垂直移動させる（図５（Ａ），（Ｂ））。
こうして、開口部側収納部２０に移動先スペースＳＰを形成したのち、所望の奥側収納棚２３を、水平移動機構４０で矢印Ｂ2に示すように奥側収納部２１から左方の移動先スペースＳＰに水平移動させる。
その結果、所望の奥側収納棚２３が開口部側収納部２０に位置するので、ユーザーＭは、開口部１０を介して所望の奥側収納棚２３に対して被収納物１２を容易に出し入れすることができる（図４（Ｃ），図５（Ｃ））。
【００３４】
本発明では、開口部側収納棚２２を垂直移動させるのは、この開口部側収納棚２２に対して被収納物１２を出し入れするのが主な目的ではなく、選択された所望の奥側収納棚２３を開口部側収納部２０，２０ａに移動させるための移動先スペースＳＰを形成することを主要な目的としている。
このように、本発明と、昇降棚に対して被収納物を出し入れするために昇降棚を昇降させる特許文献２に記載の技術とは、移動動作の目的が異なっている。
【００３５】
なお、収納庫１ａ（図６）の場合には、各開口部側収納棚２２を、この各開口部側収納棚２２に対応する上部移動位置Ｐ1と下部移動位置Ｐ2との間で、一段ストロークＳ分だけ垂直移動させることができるので、任意の位置に、二つの移動先スペースＳＰを形成することができる。
そして、選択された一つまたは二つの奥側収納棚２３を奥側収納部２１から開口部側収納部２０ａの移動先スペースＳＰに、矢印Ｂ2に示すように水平移動させることができる。これにより、所望の奥側収納棚２３に対して被収納物１２を開口部１０を介して容易に出し入れすることができる。
【００３６】
上述の収納庫１，１ａでは、開口部側収納棚２２と奥側収納棚２３の移動動作は収納庫１，１ａの内部のみで完結しているので、これら移動動作が収納庫１，１ａの外部に影響を与えることはない。
その結果、たとえば収納庫１，１ａのすぐ左側から前方に延びる別の収納庫１３が配置されていても、収納庫１，１ａを使用する際の邪魔にならないので、台所における収納庫１，１ａや別の収納庫１３など厨房家具の配置の制約がなくなる。
開口部側収納棚２２の移動範囲は一段ストロークＳであり、また、奥側収納棚２３の移動範囲も奥側収納部２１と移動先スペースＳＰとの間であり、いずれも移動距離が短くてすみ、ユーザーＭにとっての負担が少ない。
【００３７】
本発明によれば、収納庫１，１ａの奥側（右方）に収納されている被収納物１２を容易に取り出したり収納したりすることができ、この奥側のスペースを、収納スペースとして有効に活用することができる。
また、選択された奥側収納棚２３に対して被収納物１２を出し入れする際に、開口部側収納部２０，２０ａに収納されている被収納物１２を取り除く必要はなく収納したままでよいので、使い勝手がよい。
垂直移動機構３０と水平移動機構４０は、開口部側収納棚２２と奥側収納棚２３をそれぞれ直線移動させており、旋回運動など複雑な動作を行わないので構成が簡素である。
【００３８】
通常、三つ以上の奥側収納棚２３を同時に使用することは少ない。そのため、収納庫１では、選択された一つの奥側収納棚２３を、収納庫１ａでは、選択された一つまたは二つの奥側収納棚２３を、それぞれ簡単な操作で開口部１０側に引き出している。そして、これら奥側収納棚２３に対して被収納物１２を容易に出し入れすることができる。
開口部側収納棚２２と奥側収納棚２３を手動で移動させる場合を示したが、電動で移動させるようにしてもよい。
【００３９】
以上、本発明の実施例（変形例を含む。以下、同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００４０】
本発明は、システムキッチンなど厨房家具に対して平面視で直角に設置されるとともに、収納庫のキャビネットの前面の一部が厨房家具で塞がれている収納庫に適用可能である。
【図面の簡単な説明】
【００４１】
【図１】図１ないし図１０は本発明の一実施例を示す図で、図１は、収納庫が設置された台所の平面図である。
【図２】図１に示す台所の斜視図で、収納庫の扉を閉めた状態を示している。
【図３】図２に示す収納庫の扉を開けた状態を示す斜視図である。
【図４】収納庫の動作を示す正面図で、一つの開口部側収納棚を動かす場合を示している。
【図５】収納庫の動作を示す正面図で、二つの開口部側収納棚を動かす場合を示している。
【図６】本実施例の変形例にかかる収納庫を示す正面図で、図４相当図である。
【図７】開口部側収納部における垂直移動機構を示す斜視図である。
【図８】図７に示す開口部側収納部の動作を示す部分正面図である。
【図９】奥側収納部の水平移動機構を示す斜視図である。
【図１０】図９の側面断面図である。
【符号の説明】
【００４２】
１，１ａ  収納庫
２        システムキッチン（厨房家具）
７        キャビネット
８        前面
１０      開口部
２０，２０ａ    開口部側収納部
２１      奥側収納部
２２      開口部側収納棚
２３      奥側収納棚
Ｐ1       上部移動位置
Ｐ2       下部移動位置
Ｓ        一段ストローク
ＳＰ      移動先スペース
【図１】
2006296605.tif 000003
【図２】
2006296605.tif 000004
【図３】
2006296605.tif 000005
【図４】
2006296605.tif 000006
【図５】
2006296605.tif 000007
【図６】
2006296605.tif 000008
【図７】
2006296605.tif 000009
【図８】
2006296605.tif 000010
【図９】
2006296605.tif 000011
【図１０】
2006296605.tif 000012